(57)【要約】      （修正有）【課題】発泡樹脂の平板を用いながらも、排水勾配を付与することが可能な浴室の洗い場床を提供する。【解決手段】上面と下面が平行とされた発泡樹脂製の平板からなる床基材１２と、床基材１２の下面を支持する床支持面１１３ａを有する支持体１１と、洗い場１ａの表面を構成する表面材１４と、床基材１２と表面材１４との間に配設されて、一様な厚みを有するクッション材１３と、を備え、支持体１１は、床基材１２の端部から洗い場１ａの排水口に向けて床支持面１１３ａが下り傾斜するように構成され、床支持面１１３ａの下り傾斜によって、洗い場１ａの表面に、排水口に向けて下り傾斜する排水勾配を形成した。【選択図】図２
2015190288.tif 000002
【特許請求の範囲】
【請求項１】
上面と下面が平行とされた発泡樹脂製の平板からなる床基材と、
前記床基材の下面を支持する床支持面を有する支持体と、
洗い場の表面を構成する表面材と、
前記床基材と前記表面材との間に配設されて、一様な厚みを有するクッション材と、
を備え、
前記支持体は、前記床基材の端部から前記洗い場の排水口に向けて前記床支持面が下り傾斜するように構成され、
前記床支持面の下り傾斜によって、前記洗い場の表面に、前記排水口に向けて下り傾斜する排水勾配を形成したことを特徴とする浴室の洗い場床。
【請求項２】
前記床支持面は、前記排水口に向かう傾斜の方向が異なる複数の傾斜面で構成してなり、
前記床基材は、前記複数の傾斜面ごとに分割されたことを特徴とする請求項１記載の浴室の洗い場床。
【発明の詳細な説明】
【技術分野】
【０００１】
本発明は、発泡樹脂を主体として形成された、浴室の洗い場床に関する。
【背景技術】
【０００２】
浴室の洗い場床を、発泡樹脂を主体として製造する技術がある。この技術は、特許文献１に示すように、金型内で発泡成形させて床基材の形状を賦形するものであり、安価な金型で洗い場床を形成することができる。また、この特許文献１は、壁パネルを載せる床基材枠と床基材本体とを別部材として、各々最適な製造方法で形成することも提案している。
【０００３】
ところが、洗い場には複数のサイズが存在する。そのため、サイズ違いの洗い場ごとに金型が必要であり、金型の数が増大してしまう。そこで、洗い場床の製造コストをさらに下げるためには、洗い場の全体を金型で成形するのを止めることが考えられる。
【０００４】
その一例として、発泡樹脂の平板を利用する方法がある。これは、発泡樹脂の平板を、洗い場のサイズにカットして床基材本体を形成し、壁パネルを載せる床基材枠を床基材本体の外周に配置したものである。この床基材枠は、長く帯状に成形されたものを必要なサイズにカットすればよい。そして、床基材本体の上面にクッション材と表皮材を載置して、洗い場の床基材を完成させる。このように作製すれば、金型の必要数を大幅に削減することができ、製造コストを下げることが可能となる。
【先行技術文献】
【特許文献】
【０００５】
【特許文献１】特開２０１２−１１７２５７号公報
【発明の概要】
【発明が解決しようとする課題】
【０００６】
ところが、床基材本体は、上面と下面が平行に形成された発泡樹脂の平板なので、洗い場床の表面が水平面となってしまう。そのため、洗い場床の表面には、排水口に向けて下り傾斜する排水勾配が付与されず、洗い場床の排水性能が著しく劣ってしまい、洗い場床が乾燥するまでに長時間かかることになる。
【０００７】
そこで、本発明は、上記した問題点を解決し、発泡樹脂の平板を用いながらも、排水勾配を付与することが可能な浴室の洗い場床を得ることを目的とする。
【課題を解決するための手段】
【０００８】
上記した課題を解決するために、本発明は、上面と下面が平行とされた発泡樹脂製の平板からなる床基材と、前記床基材の下面を支持する床支持面を有する床基材と、洗い場の表面を構成する表面材と、前記床基材と前記表面材との間に配設されて、一様な厚みを有するクッション材と、を備え、前記床基材は、前記床基材の端部から前記洗い場の排水口に向けて前記床支持面が下り傾斜するように構成され、前記床支持面の下り傾斜によって、前記洗い場の表面に、前記排水口に向けて下り傾斜する排水勾配を形成したことを特徴とする。
【０００９】
これによれば、発泡樹脂製の平板で形成された床基材、及びクッション材を、一様な厚みにしつつ、床基材を支える床支持面を排水口に向けて下り傾斜させることにより、床基材及びクッション材を一様な厚みとしながら洗い場の表面に排水勾配を付与することができる。発泡樹脂の平板は、金型に複雑な形状を要しないので、比較的安価に製造することが可能である。
したがって、排水勾配を付与する洗い場床を、発泡樹脂製の平板を用いて低コストで製造することができる。
【００１０】
また、前記床支持面は、前記排水口に向かう傾斜の方向が異なる複数の傾斜面で構成してなり、前記床基材は、前記複数の傾斜面ごとに分割されるようにしてもよい。
【００１１】
これによれば、発泡樹脂製の床基材を、床支持面に形成された傾斜する方向が異なる傾斜面に合わせて屈曲させる必要がないので、床基材の上面に床支持面の傾斜面と同等に傾斜させることができる。そのため、洗い場の排水勾配を精度よく形成することが可能となる。
【発明の効果】
【００１２】
本発明によれば、低コストで製造できる発泡樹脂の平板を用いながらも、排水勾配を付与することが可能な浴室の洗い場床を得ることが可能となる。
【図面の簡単な説明】
【００１３】
【図１】本発明の実施の形態にかかる浴室の洗い場床を備えた浴室ユニットを例示する斜視図である。
【図２】図１に表したＡ−Ａ切断面の断面図である。
【図３】本実施形態の洗い場床の構造を表す分解斜視図である。
【図４】本実施形態の洗い場床を表す斜視図である。
【図５】本実施形態の洗い場床の支持体を表す平面図である。
【図６】本実施形態の洗い場床の床基材を表す平面図である。
【発明を実施するための形態】
【００１４】
以下、本発明の実施の形態について図面を参照しつつ説明する。
図１は、本発明の実施の形態にかかる浴室の洗い場床を備えた浴室ユニットを例示する斜視図である。
【００１５】
図１に表したように、浴室の洗い場床１は、浴槽２の隣りに配置されている。浴槽２と洗い場床１との間には、洗い場と浴槽設置部とを区切る仕切り壁となるバスエプロン９が設けられている。
【００１６】
本実施形態に係る洗い場床１は、洗い場床１の下、すなわち洗い場床１と浴室設置面との間の空間に、洗い場床１に設けられた排水口１５と浴室外の排水管路とを連通させる排水管５が敷設されている。
【００１７】
洗い場床１は、洗い場１ａの周縁部の各辺を囲むようにして止水壁１ｂが設けられることによって周縁部が上側に立ち上げられた浅底の器状（パン状）に形成され、浴室外部に湯水を漏出させないような立体的な形状となっている。図１に表した洗い場１ａの周縁部は、略四辺形である。なお、本実施形態の説明においては、浴槽２側に設けられた止水壁１ｂについて他の止水壁１ｂと区別するときは、止水壁１ｂ（Ｗ）ということにする。
【００１８】
洗い場１ａの表面（以下の説明で用いる「表面」は、断りなき場合はいずれも浴室内側の面を指すこととする。）には、洗い場１ａの表面に付着した湯水を排水口１５まで流すようにするため、排水口１５に向けて所定の勾配を持った傾斜面からなる排水勾配面１０１、１０２及び１０３が設けられている。この勾配は、洗い場１ａの外周縁の各辺からそれぞれ遠ざかる方向に向けた下り勾配としている。また、互いに隣り合う排水勾配面同士の間の境界線は、排水勾配面１０１〜１０３と同様に、排水口１５に向けて所定の勾配を有する。その境界線の勾配は、洗い場１ａの外周縁の各辺からそれぞれ遠ざかる方向に向けた下り勾配とされている。
【００１９】
図２は、図１に表したＡ−Ａ切断面の断面図、図３は本実施形態の洗い場床の構造を表す分解斜視図、図４は洗い場床を表す斜視図、図５は支持体の支持面材を表す平面図、図６は床基材を表す平面図である。
【００２０】
図２、図３に表したように、本実施形態に係る洗い場床１は、支持体１１と、床基材１２と、クッション材１３と、表面材１４と、を備える。浴槽２側を除く床基材１２の周囲には、図示しない浴室ユニットの壁材を載置可能な壁載せ部材７が付設されている。また、床基材１２の浴槽２側には、立壁部８が付設されている。
【００２１】
支持体１１は、長さ調整可能な支持脚１１２を有するフレーム１１１と、フレーム１１１の上に載せた高強度の支持面材１１３とが一体化され、設置場所の床高さに対する洗い場床１の表面（洗い場１ａの表面）の高さを調整可能とされている。支持面材１１３の上面が、床基材１２を支える床支持面１１３ａとなる。
【００２２】
図５に表したように、この支持面材１１３には、前述した洗い場１ａの排水勾配面１０１、１０２及び１０３を形成するための基準面となる傾斜面１１３１ａ、１１３２ａ及び１１３３ａが形成されている。そのため、支持面材１１３の床支持面１１３ａは、洗い場１ａの端部から洗い場１ａの排水口１５に向けて下り傾斜した形状となる。
【００２３】
傾斜面１１３１ａ〜１１３３ａは、排水勾配面１０１〜１０３と相似面になっている。
【００２４】
なお、排水勾配面の形態および傾斜面の形態は、図１および図４に表した例には限定されない。
【００２５】
床基材１２は、支持体１１の上に設けられている。クッション材１３は、床基材１２の上に設けられ、床基材１２のクッション性（弾性）よりも高いクッション性を有する。表面材１４は、クッション材１３の上に設けられ、クッション材１３の硬度よりも高い硬度を有する。本願明細書において、「硬度」とは、「硬さ」と同等であり、例えばビッカース硬さ試験（ＪＩＳ  Ｚ  ２２４４）、ブリネル硬さ試験（ＪＩＳ  Ｚ  ２２４３）、あるいはロックウェル硬さ（ＪＩＳ  Ｚ  ２２４５）などに基づいて測定可能な値をいう。
【００２６】
床基材１２は、発泡樹脂によって形成され、上面と下面とが平行で勾配のない平板である。そのため、床基材１２は、金型の形状を複雑にする必要がなく、安価に製造することが可能である。
【００２７】
発泡樹脂としては、例えば発泡ポリプロピレン、発泡ポリスチレン、発泡ポリエチレン、発泡ポリウレタンが用いられる。本実施形態では、一例として発泡ポリプロピレンが用いられている。発泡ポリプロピレンは、他の発泡樹脂に比べて耐衝撃性が高いため、これを用いることで過酷な使用にも耐えうる強度の優れた床構造を提供できることになる。
【００２８】
また、図６に表したように、床基材１２は、支持面材１１３の床支持面１１３ａに形成された傾斜面１１３１ａ〜１１３３ａ同士の境界線に沿って分割されている（基材構成部材１２１〜１２３）。すなわち、床基材１２を構成する複数の基材構成部材１２１〜１２３は、排水口１５に向かう傾斜の方向が異なる複数の傾斜面１１３１ａ〜１１３３ａごとに合わせて分割されることになる。そのため、床基材１２の下面は、床支持面１１３ａに形成された傾斜面１１３１ａ〜１１３３ａに密接し、床基材１２の上面は傾斜面１１３１ａ〜１１３３ａと同等の傾斜面となる。
【００２９】
クッション材１３は、床基材１２と表面材１４との間に設けられている。クッション材１３は、例えばポリウレタンなどの弾性を有する材料で一様な厚みに形成されて、洗い場床１に程良い柔らかさを与えることができる。
【００３０】
表面材１４は、床基材１２とクッション材１３を覆って洗い場１ａの表面を形成する部分１４ａと、立壁部８を覆って止水壁１ｂの表面を形成する部分１４ｂと、を有する。
【００３１】
図４に示す矢印Ｓ１は、排水勾配面１０１〜１０５のそれぞれの下り勾配の方向を表している。すなわち矢印Ｓ１の向く方向が、下りの方向を示している。このように、排水勾配面１０１〜１０５は、洗い場床１の外周縁の各辺を起点として、各辺と直交する方向に下がる傾斜平面になっている。
【００３２】
クッション材１３は、前述したとおりポリウレタンなどの弾性を有する材料で形成されているため柔らかく、床基材１２の上面の傾斜に倣うように変形する。そして、表面材１４は、クッション材１３の傾斜した表面に倣うように変形され、床基材１２の表面を覆うようにして床基材１２の周縁部に接着される。
【００３３】
本実施形態の洗い場床１によれば、床基材１２及びクッション材１３に、一様な厚みを持たせるとともに、支持面材１１３の床支持面１１３ａに、排水口１５に向けて次第に下り傾斜させている。これにより、床基材１２及びクッション材１３を一様な厚みとしながら、床支持面１１３ａの傾斜によって、洗い場１ａの表面に、排水口１５に向けて下り傾斜する排水勾配を付与している。発泡樹脂の平板は、金型に複雑な形状を要しないので、比較的安価に製造することが可能である。
したがって、排水勾配を付与する洗い場床１を、発泡樹脂製の平板を用いて低コストで製造することができる。
【００３４】
また、発泡樹脂製の床基材１２を、床支持面１１３ａに形成された傾斜する方向が異なる傾斜面１１３１ａ〜１１３３ａに合わせて屈曲させる必要がないので、床基材１２の上面に床支持面１１３ａの傾斜面１１３１ａ〜１１３３ａと同等に傾斜させることができる。
したがって、洗い場１ａの排水勾配を精度よく形成することができる。
【００３５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００３６】
１  洗い場床
１ａ  洗い場
１１  支持体
１１３  支持面材
１１３ａ  床支持面
１２  床基材
１３  クッション材
１４  表面材
１５  排水口
１０１〜１０３  排水勾配面
【図１】
2015190288.tif 000003
【図２】
2015190288.tif 000004
【図３】
2015190288.tif 000005
【図４】
2015190288.tif 000006
【図５】
2015190288.tif 000007
【図６】
2015190288.tif 000008